(57)【要約】【課題】強度を確保しつつ簡素に製造することのできるフロアパネルを提供する。【解決手段】基礎床２上に配置されて部屋の床面２７ａ、４７を構築するフロアパネル４であって、内部空間１７を有したパネル本体２０、４０と、前記内部空間１７に配設される導体６と、前記導体６の周囲を覆うように前記内部空間１７に充填される絶縁体１５と、を備える。【選択図】図３
2010106460.tif 000002
【特許請求の範囲】
【請求項１】
基礎床上に配置されて部屋の床面を構築するフロアパネルであって、
内部空間を有したパネル本体と、
前記内部空間に配設される導体と、
前記導体の周囲を覆うように前記内部空間に充填される絶縁体と、
を備えることを特徴とするフロアパネル。
【請求項２】
前記パネル本体は、
底壁と当該底壁の外周から立設された周壁とを有し、天面が開口した凹状のボトムプレートと、
前記ボトムプレートの開口を覆うように取り付けられるトッププレートと、
を備えることを特徴とする請求項１に記載のフロアパネル。
【請求項３】
前記導体が銅線であることを特徴とする請求項１または請求項２に記載のフロアパネル。
【発明の詳細な説明】
【技術分野】
【０００１】
本発明は、二重床構造で利用されるフロアパネルに関し、詳細には、配設工事と同時に電気配線工事も行うことのできるフロアパネルに関する。
【背景技術】
【０００２】
従来より、例えばオフィスなど屋内で多数の配線が張り巡らされるフロアでは、基礎となる床面の上側にフロアパネルを敷設して床を二重構造とし、当該フロアパネルと床面の間に一定の空間を形成して、その空間に多数の配線を配索できるようにしたフロアパネルシステムが採用されている。
【０００３】
このフロアパネルシステムでは、配線を前記した空間に収容することができるため、配線の保護や見栄えの向上を実現することができるという利点がある。
【０００４】
ところで、近年、このようなシステムが利用されるオフィス内では、間取りの変更やＯＡ機器等の配置換えが頻繁に行われるため、当該変更に対応させて工事業者が早急に配線工事を行うことのできるシステムの提供が待ち望まれていた。
【０００５】
そこで、特許文献１により、一方の端面にコンセントが設けられると共に他方の端面にプラグが設けられ、これらコンセント及びプラグを電気的に接続させるようにしたフロアパネルが提案されている。
【０００６】
このフロアパネルでは、当該フロアパネルを基礎床上に敷設する際に、これらフロアパネルが備えるプラグを隣接して配置される他のフロアパネルのコンセントに接続させることで、配設工事と同時に電気配線工事も行うことができる。
【特許文献１】実開平４−１３４１２７
【発明の開示】
【発明が解決しようとする課題】
【０００７】
しかしながら、上記従来技術のフロアパネルでは、単に、コンセント及びプラグ付きのケーブルをフロアパネル内に配設しているだけなので、フロアパネルの強度が損なわれてしまうという問題があった。
【０００８】
また、強度を補うために、例えばセメント等をフロアパネル内に充填させることも考えられるが、上記従来のフロアパネルでは、絶縁されたケーブルの上からさらに材料を充填させる必要があるため、構成が煩雑になってしまう。
【０００９】
本発明は、このような事情に鑑みてなされたものであり、その目的は、強度を確保しつつ簡素に製造することのできるフロアパネルを提供することである。
【課題を解決するための手段】
【００１０】
請求項１に記載の発明は、基礎床上に配置されて部屋の床面を構築するフロアパネルであって、内部空間を有したパネル本体と、前記内部空間に配設される導体と、前記導体の周囲を覆うように前記内部空間に充填される絶縁体と、を備えることを特徴とする。
【００１１】
請求項２に記載の発明は、請求項１に記載のフロアパネルであって、前記パネル本体は、底壁と当該底壁の外周から立設された周壁とを有し、天面が開口した凹状のボトムプレートと、前記ボトムプレートの開口を覆うように取り付けられるトッププレートと、を備えることを特徴とする。
【００１２】
請求項３に記載の発明は、請求項１または請求項２に記載のフロアパネルであって、前記導体が銅線であることを特徴とする。
【発明の効果】
【００１３】
請求項１の発明によれば、パネル本体の内部空間に導体を配設して、この導体の周囲を覆うように絶縁体を充填するようにしたため、強度を確保しつつ簡素に製造することのできるフロアパネルを提供することができる。
【００１４】
請求項２の発明によれば、請求項１に記載の作用・効果に加え、パネル本体は、天面が開口した凹状のボトムプレートとこのボトムプレートの開口を覆うように取り付けられるトッププレートとを備えているため、パネル本体の内部空間に導体を容易に配設することができる。
【００１５】
請求項３の発明によれば、請求項１、２に記載の作用・効果に加え、内部空間に配設される導体として銅線を用いているため、コストを低減することができる。
【発明を実施するための最良の形態】
【００１６】
［第１の実施形態］
以下、本発明の第１の実施形態について図面を参照しながら説明する。図１は、本発明を適用したフロアパネルシステムを概略的に示す斜視図である。
【００１７】
まず、フロアパネルシステム１の概要を説明する。図１に示すように、フロアパネルシステム１は、基礎床２上に配置される複数の支柱３と、これらの支柱３を介して基礎床２上に碁盤の目状に敷設される矩形状の複数のフロアパネル４と、を備えている。フロアパネル４は、その４隅が支柱３によって支持されるようになっており、隣合うフロアパネル４の隣合う隅同士は、同一の支柱３によって支持される。このフロアパネルシステム１と基礎床２とによって、フロアパネル４と基礎床２との間に空間５を有する二重床が形成される。
【００１８】
フロアパネル４には、伝送物を伝送する伝送媒体である伝送線６が設けられている。ここで、便宜上、図面において伝送線６は単に線で示してある。伝送線６は、フロアパネル４の中心部を挟んで相互に対向するフロアパネル４の隅同士を結ぶように配置されており、全体でＸ字状を成している。隣合うフロアパネル４の伝送線６同士は、支柱３の導体部を介して接続され、これらの伝送線６及び導体部等によって、フロアパネルシステム１内に伝送路７が形成される。この伝送路７には、伝送物管理装置８やアウトレット９が接続可能となっており、アウトレット９に接続された電気機器（図示せず）と伝送物管理装置８とが伝送路７を介して接続されるようになっている。
【００１９】
フロアパネルシステム１が伝送路７によって伝送する伝送物は、電力と情報信号との少なくとも一方である。つまり、伝送物は、電力のみ、情報信号のみ、又は、電力と情報信号との両方である。フロアパネルシステム１は、電力を伝送する場合には、電力供給システムとして機能し、情報信号を伝送する場合には、情報伝送システムとして機能し、電力と情報信号との両方を伝送する場合には、電力・情報複合システムとして機能する。
【００２０】
電力は、交流又は直流であり、情報信号は、アナログ信号やデジタル信号である。情報信号は、具体的には、ＬＡＮ用信号、ｘＤＳＬ用信号、テレビジョン受像機用信号、電話機用信号、電気機器用制御信号等であり、これらの信号は電気信号又は光信号によって構成される。情報信号は、電力と別体又は一体に伝送され、情報信号が電力と一体に伝送される場合には、情報信号が重畳された交流や直流が用いられる。
【００２１】
伝送物管理装置８は、電力を供給可能な電源装置、情報を送受信可能なサーバ、又は、それら電源装置及びサーバの両方の機能を有する複合装置等である。なお、図１には、伝送物管理装置８として電源装置を例示してある。
【００２２】
伝送線６は、伝送物が電力である場合には、電力を伝送可能な電源線が用いられ、伝送物が情報信号である場合には、情報信号を伝送可能なメタル線や光通信線等の情報通信線が用いられる。また、伝送物が電力と情報信号との両方である場合には、伝送線６は、電源線と情報通信線との２系統で構成されるか、又は、電源線だけの１系統で構成される。伝送線６が電源線だけの１系統で構成される場合には、この電源線によって、情報信号が重畳された交流や直流が伝送される。
【００２３】
アウトレット９は、伝送物が電力である場合には、交流用コンセントや、直流用コンセント、特定の電気機器用の専用端子等の電力用アウトレットが用いられる。なお、図１には、アウトレット９として交流用コンセントを例示してある。交流用コンセントや直流用コンセントには、電源用フロアコンセントやテーブルタップ、各種電気機器が接続可能である。電源用フロアコンセント及びテーブルタップは、伝送される電力に応じて、交流用、直流用又は交流・直流両用のいずれかが用いられる。
【００２４】
また、アウトレット９は、伝送物が情報信号である場合には、情報コンセントや、特定の電気機器用の専用端子等の情報用アウトレットが用いられる。情報コンセントは、具体的には、ＬＡＮ用コンセントや、テレビジョン受像機用コンセント、電話機用コンセント、光コネクタ、複合コンセント等である。複合コンセントは、ＬＡＮ用コンセントや、テレビジョン受像機用コンセント、電話機用コンセント、光コネクタ等の種類が異なる２つ以上のコネクタを一体に備えるコンセントである。情報用アウトレットには、情報用フロアコンセントやテーブルタップ、無線通信端末、ＬＡＮ機器、コンピュータ、テレビジョン受像機、電話機等の各種電気機器が接続可能である。
【００２５】
また、アウトレット９は、伝送物が電力と情報信号との両方の場合には、伝送線６の種類に応じて、上述した電力用アウトレット及び情報用アウトレットの両方や、電力用アウトレット及び情報用アウトレットを一体化した複合アウトレット、特定の電気機器用の専用端子が用いられる。複合アウトレットには、電源・情報複合フロアコンセントやテーブルタップ、無線通信端末、ＬＡＮ機器、コンピュータ、テレビジョン受像機、電話機等の各種電気機器が接続可能である。
【００２６】
次に、本実施形態の特徴部分であるフロアパネル４について図２、図３を参照して詳しく説明する。
【００２７】
本実施形態のフロアパネル４は、上述したように内部に伝送線６が配設されるもので、このフロアパネル４を基礎床２上に配置された支柱３に敷設することで、同時に隣接して配置されるフロアパネル４同士を電気的に接続させることができる点に最大の特徴を有するものである。
【００２８】
具体的には、フロアパネル４は、骨格部材を成す内部空間１７を有した短形板状のパネル本体２０と、前記内部空間１７に配設される伝送線６としての導体と、この導体の周囲を覆うように内部空間１７に充填される絶縁体１５とを備えて構成されている。
【００２９】
パネル本体２０は、図３に示すように、本実施形態では、天面が開口した凹状のボトムプレート２１とこのボトムプレート２１の開口を覆うように取り付けられるトッププレート２２とを備え、これらの周囲を結合することで内部空間１７を有したパネル本体２０を形成している。
【００３０】
ボトムプレート２１は、例えば、鋼板等の金属部材から形成されるもので、略四角形状に形成された底壁２３と当該底壁２３の外周から立設される周壁２４とを備え、この周壁２４からは、図３に示すように、トッププレート２２に結合するための延出板２５が突設されている。
【００３１】
トッププレート２２は、こちらもボトムプレート２１と同様に鋼板等の金属部材から形成されるもので、人間の歩行面となる天面２７ａが平端面とされた略四角形状の上壁２７とこの上壁２７から凹状に立設される周壁２８とを備えると共に、トッププレート２２の四隅には、爪状に折れ曲がった曲部２９が設けられている。この曲部２９には、図２、図３に示すように、天面２９ａに開口される孔部３０が穿設されていて、この孔部３０に導体の一対の端部から突設された端子６ａをそれぞれ露出させることで、図１に示すように、支柱３の連結ロック１２の下面に露出した導体部（図示せぬ）に接続されるようになっている。
【００３２】
このようにして形成される本実施形態のフロアパネル４では、まず、ボトムプレート２１とトッププレート２２の間に形成される内部空間１７に導体を配設して、これらボトムプレート２１とトッププレート２２の周囲を結合する。その際には、図２、図３に示すように、導体を略四角形状に形成されるフロアパネル４の対角線を結ぶようにしてＸ字状に配置させると共に、前記したトッププレート２２の曲部２９に設けられた孔部３０から導体の端子６ａをそれぞれ露出させる。そして、ボトムプレート２１の延出板２５の端部とトッププレート２２の周壁２８の端部とを、例えば溶接などの手段で結合する。そして、ボトムプレート４１の裏面に形成された図示せぬ切欠部から絶縁樹脂を内部空間１７に充填することで、導体の周囲を絶縁体１５で覆ったフロアパネル４が完成される。
【００３３】
本実施形態では、パネル本体２０の内部空間１７に配設される導体として銅線を用いていると共に、当該銅線を覆うように内部空間１７にモルタルを充填することでフロアパネル４を成型している。なお、本実施形態では、絶縁体１５の材料として上記樹脂を利用したが、本実施形態はこれに限定されず、例えば、ポリエチレンやポリプロピレン等のプラスチック成形材料である合成樹脂、焼結体であるセラミックス、鉱物質であるアスファルト、カーボンを含まないカーボンレスのゴム等を用いてもよい。また、導体の材料として鉄、ステンレススチールなどの金属や導電性樹脂等を用いてもよい。
【００３４】
次に、本実施形態のフロアパネルシステム１の作用効果について説明する。
【００３５】
本実施形態のフロアパネルシステム１では、上述したように、内部空間１７を有したパネル本体２０とこの内部空間１７に配設される導体とこの導体の周囲を覆うように内部空間１７に充填される絶縁体１５とを備えたフロアパネル４を用いている。したがって、パネル本体２０の内部空間１７に単に、コンセント及びプラグ付きのケーブルを配設した従来のフロアパネルよりも強度の高いフロアパネル４を得ることができる。さらに、本実施形態のフロアパネル４は、パネル本体２０の内部空間１７に剥き出しの導体を配設して当該導体の周囲に絶縁体１５を充填する構造であるため、フロアパネル４の構成を簡略化できる。
【００３６】
また、本実施形態では、パネル本体２０は、天面が開口した凹状のボトムプレート２１とこのボトムプレート２１の開口を覆うように取り付けられるトッププレート２２とを備えているため、パネル本体２０の内部空間１７に導体を容易に配設することができるという利点がある。
【００３７】
また、本実施形態では、内部空間１７に配設される導体として銅線を用いているため、コストを低減することができるという利点がある。
【００３８】
また、本実施形態では、フロアパネル４のパネル本体２０内に伝送線６（導体）を設けることで、フロアパネル４と基礎床２との間の空間５に配索する伝送線を少なくしたり無くすことができる。したがって、フロアパネル４のパネル本体２０内に伝送線６を設けずにフロアパネル４と基礎床２との間の空間５にのみ伝送線を配索する場合に比べて、フロアパネル４と基礎床２との間の空間５の高さを低くすることができ、フロアパネルシステム１の床面（天面２７ａ）を低くすることができる。よって、室内空間の高さを高くして室内を低くすることができる。
【００３９】
また、フロアパネル４に伝送線６を一体に設けることによって、フロアパネル４に電気機器１０を内蔵してその電気機器１０を伝送線６に接続したり、フロアパネル４外の電気機器（図示せず）を伝送線６に接続（以下、外部接続ともいう）することができ、これにより、そのフロアパネル４内外の電気機器１０の遠隔制御や使用をすることができる。このような構成の例を以下に説明する。
【００４０】
例えば、フロアパネル４に内蔵又は外部接続する電気機器１０として位置検出センサを採用することで、人の位置を検出することが可能となる。
【００４１】
また、フロアパネル４に内蔵又は外部接続する電気機器１０として空調機器を採用することで、温度や湿度などの室内空気環境を個別制御することが可能となる。
【００４２】
また、フロアパネル４に内蔵又は外部接続する電気機器１０として照明器具を採用することで、室内照明を制御することが可能となる。
【００４３】
また、フロアパネル４に内蔵又は外部接続する電気機器１０として電力量センサを採用することで、フロアパネルシステム１内の電力量や電力分配を制御することが可能となる。
【００４４】
また、フロアパネル４に内蔵又は外部接続する電気機器１０として物体の有無を検出可能な荷重センサを採用することで、有形資産の位置を検出して管理することが可能となる。
【００４５】
また、フロアパネル４に内蔵又は外部接続する電気機器１０として、人を検出可能な人感センサを採用することで、不審者の存在（危険）を労働者に通知することが可能となる。この場合、例えば、フロアパネルシステム１を廊下に適用して、残業中の労働者に不審者が廊下にいるなどの危険を通知することが可能となる。
【００４６】
また、フロアパネル４に内蔵又は外部接続する電気機器１０として圧電素子を採用することで、電力を生み出してその電力を他の電気機器に供給することが可能となる。
【００４７】
ここで、フロアパネル４の変形例を説明する。以下の各変形例は、フロアパネル４に対して、伝送線６の配置が異なり、その他の構成は同じである。
【００４８】
図４は、本実施形態にかかるフロアパネルの第１の変形例を概略的に示す斜視図である。図４に示す第１の変形例のフロアパネル４Ａでは、その外周の４辺の各縁部に、それらの辺に沿って伝送線６が設けられており、これらの伝送線６は全体で略矩形状を成している。
【００４９】
図５は、本実施形態にかかるフロアパネルの第２の変形例を概略的に示す斜視図である。図５に示す第２の変形例のフロアパネル４Ｂでは、その外周の隣合う２辺の各縁部に、それらの辺に沿って伝送線６が設けられており、これらの伝送線６が全体で略Ｌ字状を成している。
【００５０】
図６は、本実施形態にかかるフロアパネルの第３の変形例を概略的に示す斜視図である。図６に示す第３の変形例のフロアパネル４Ｃでは、その外周の一つの辺の縁部に、その辺に沿って伝送線６が設けられており、伝送線６は直線状となっている。
【００５１】
これらの各種のフロアパネル４，４Ａ，４Ｂ，４Ｃを組み合わせることにより、フロアパネルシステム１の伝送路７の経路を多種多様に構築することができる。
【００５２】
［第２の実施形態］
次に、本発明の第２の実施形態について図面を参照して説明する。図７は、本実施形態にかかるフロアパネルシステムを概略的に示す斜視図である。本実施形態のフロアパネルシステム１０１の基本的な構造は、第１の実施形態のフロアパネルシステム１と同じである。よって、第１の実施形態との相違点を中心に説明し、第１の実施形態と同じ部分には同一符号を付し重複する説明は省略する。
【００５３】
図７に示すように、本実施形態のフロアパネルシステム１０１は、フロアパネル１０４及び伝送路１０７が、第１の実施形態のフロアパネルシステム１に対して異なる。
【００５４】
具体的には、本実施形態では、隣合うフロアパネル１０４の伝送線６同士が、支柱３を介さずに、フロアパネル１０４のコネクタを介して接続され、これらの伝送線６及びコネクタ等によって、フロアパネルシステム１０１内に伝送路１０７が形成される。伝送線６は、フロアパネル１０４の対辺の中央部同士を結ぶようにフロアパネル１０４に設けられており、全体で十字状を成している。伝送路１０７には、第１の実施形態と同様に、伝送物管理装置８やアウトレット９が接続可能となっており、アウトレット９に接続された電気機器（図示せず）と伝送物管理装置８とが伝送路７を介して接続されるようになっている。
【００５５】
本実施形態のフロアパネル１０４は、上記第１実施形態と同様に、骨格部材を成す内部空間１７を有した短形板状のパネル本体４０と、前記内部空間１７に配設される伝送線６としての導体と、この導体を覆うように内部空間１７に充填される絶縁体１５とを備えて構成されている。
【００５６】
パネル本体４０は、図９に示すように、天面が開口した凹状のボトムプレート４１とこのボトムプレート４１の開口を覆うように取り付けられるトッププレート４２とを備えている。
【００５７】
ボトムプレート４１は、例えば、鋼板等の金属部材から形成されるもので、本実施形態では、略四角形状に形成された底壁４３と当該底壁４３の外周から立設される周壁４４のみの構成とされている。
【００５８】
トッププレート４２は、本実施形態では、略四角形状の天面４７が平端面とされた平板部材とされ、ボトムプレート４１と同様に鋼板等の金属部材から形成されている。
【００５９】
そして、本実施形態では、パネル本体４０における４辺のそれぞれの中央部に相当する位置に、互いに隣り合うように配置される他のフロアパネル１０４のパネル本体４０とコネクタ接続するための接続部４９が設けられている。
【００６０】
接続部４９は、図８、図１０に示すように、ボトムプレート４１の周壁４４から突設される平行刃の端子４８を備えており、この端子４８の周囲は、当該端子４８を接続させる刃受け５１を有したジョイント器具５０を嵌合させるために凹面４５とされている。
【００６１】
ジョイント器具５０は、接続部４９の端子４８を刃受け５１に接続させることで、互いに隣り合うように配置されるフロアパネル１０４同士を電気的に接続させるものである。
【００６２】
このようにして形成される本実施形態のフロアパネル１０４では、まず、ボトムプレート４１とトッププレート４２の間に形成される内部空間１７に導体を配設して、導体と接続部４９の端子４８とを電気的に接続させると共に、ボトムプレート４１とトッププレート４２の周囲を結合する。なお、その際には、ボトムプレート４１の周壁４４の上端部と当該上端部に対応するトッププレート４２の裏面を、例えば溶接などの手段で結合し、ボトムプレート４１の裏面に形成された図示せぬ切欠部から絶縁体１５と成る絶縁樹脂を内部空間１７に充填する。なお、本実施形態も上記第１実施形態と同様に絶縁体１５の材料としてモルタルを用い、導体として銅線を用いている。
【００６３】
そして、図１０に示すように、このようなフロアパネル１０４を基礎床２上に敷設する際には、互いに隣り合うように配置されるフロアパネル１０４同士をパネル本体４０に設けられた接続部４９同士が対面するように配置させ、ジョイント器具５０の刃受け５１をこれらパネル本体４０に設けられた接続部４９の端子４８にそれぞれ接続させることで、フロアパネル１０４同士のコネクタ接続が可能となる。なお、その際には、ジョイント器具５０は隣り合うパネル本体４０同士の接続部４９の凹面４５に嵌合され、図７、図１０に示すように、ジョイント器具５０の上からはカバー部材３５が載置される。
【００６４】
以上のように、本実施形態のフロアパネルシステム１では、上記実施形態と同様に、内部空間１７を有したパネル本体４０とこの内部空間１７に配設される導体とこの導体の周囲を覆うように内部空間１７に充填される絶縁体１５とを備えたフロアパネル４を用いている。したがって、上記実施形態と同様にフロアパネル４の強度を向上させることができると共に、フロアパネル４の構成を簡略化できる。
【００６５】
また、パネル本体４０は、天面が開口した凹状のボトムプレート４１とこのボトムプレート４１の開口を覆うように取り付けられるトッププレート４２とを備えているため、パネル本体４０の内部空間１７に導体を容易に配設することができるという利点がある。
【００６６】
また、内部空間１７に配設される導体として銅線を用いているため、コストを低減することができるという利点がある。
【００６７】
また、本実施形態では、フロアパネル１０４のパネル本体４０内に伝送線６（導体）を設けることによって、第１実施形態と同様に、フロアパネル１０４と基礎床２との間の空間５に配索する伝送線を少なくしたり無くすことができる。したがって、フロアパネル１０４のパネル本体４０内に伝送線６を設けずにフロアパネル１０４と基礎床２との間の空間５にだけ伝送線を配索する場合に比べて、フロアパネル１０４と基礎床２との間の空間５の高さを低くすることができ、フロアパネルシステム１０１の床面（天面４７）を低くすることができる。よって、室内空間の高さを高くして室内を低くすることができる。
【００６８】
また、フロアパネル１０４に伝送線６を一体に設けることによって、第１の実施形態と同様に、フロアパネル１０４に電気機器１０を内蔵してその電気機器１０を伝送線６に接続したり、フロアパネル１０４外の電気機器（図示せず）を伝送線６に接続することができ、これにより、そのフロアパネル１０４に内外の電気機器１０の遠隔制御や使用をすることができる。このような構成の例は、第１の実施形態と同じであるため、説明は省略する。
【００６９】
ここで、フロアパネル１０４の変形例を説明する。以下の各変形例は、フロアパネル１０４に対して、伝送線６の配置が異なり、その他の構成は同じである。
【００７０】
図１１は、本実施形態にかかるフロアパネルの第１の変形例を概略的に示す斜視図である。図１１に示す第１の変形例のフロアパネル１０４Ａでは、フロアパネル１０４Ａの一組の対辺の中央部同士を結ぶように伝送線６が設けられており、伝送線６は直線状を成している。
【００７１】
図１２は、本実施形態にかかるフロアパネルの第２の変形例を概略的に示す斜視図である。図１２に示す第２の変形例のフロアパネル１０４Ｂでは、フロアパネル１０４Ｂの連続する３辺の中間部分を接続するように伝送線６が設けられており、伝送線６が全体で略Ｖ字状を成している。
【００７２】
図１３は、本実施形態にかかるフロアパネルの第３の変形例を概略的に示す斜視図である。図１３に示す第３の変形例のフロアパネル１０４Ｃでは、フロアパネル１０４Ｃの一組の対辺同士を結ぶように一対の伝送線６が相互に平行に設けられている。
【００７３】
図１４は、本実施形態にかかるフロアパネルの第４の変形例を概略的に示す斜視図である。図１４に示す第４の変形例のフロアパネル１０４Ｄでは、フロアパネル１０４Ｄの隣合う辺同士を接続するように伝送線６が設けられており、これらの伝送線６は相互に離間して配置されている。
【００７４】
これらの各種のフロアパネル１０４，１０４Ａ，１０４Ｂ，１０４Ｃ，１０４Ｄを組み合わせることにより、フロアパネルシステム１０１の伝送路１０７の経路を多種多様に構築することができる。
【００７５】
ここで、その他のフロアパネルシステムについて説明する。図１５は、置き敷きタイプのフロアパネルを利用したフロアパネルシステムを概略的に示す斜視図であり、図１６は、この置き敷きタイプのフロアパネルを概略的に示す斜視図である。なお、第１及び第２の実施形態と同じ部分には同一符号を付して重複する説明は省略する。
【００７６】
図１５に示すように、フロアパネルシステム２０１は、置き敷きタイプの矩形状のフロアパネル２０４を複数備えており、これらのフロアパネル２０４が基礎床２上に碁盤の目状に直接敷設される。このフロアパネルシステム２０１と基礎床２とによって、二重床が形成される。なお、図１５では、フロアパネル２０４同士の境界部分を太線で示してある。
【００７７】
図１５及び図１６に示すように、フロアパネル２０４は、短形板状のパネル本体２１０を骨格部材として備えている。このパネル本体２１０には、上面開口の配線用溝２１１が十字状に形成されており、この配線用溝２１１の上面は、着脱可能な蓋２１２で閉塞される。隣合うフロアパネル２０４同士の配線用溝２１１は、相互に連通されており、かかる複数の配線用溝２１１によって、フロアパネルシステム２０１に格子状の溝２１３が形成される。この溝には伝送線が配設可能となっている。
【００７８】
蓋２１２には、伝送線６が配線用溝２１１の形状に合わせて十字状をなすように設けられている。そして、隣合うフロアパネル２０４における蓋２１２の伝送線６同士は、相互に接続され、これらの蓋２１２内の伝送線６等によって、フロアパネルシステム２０１内に格子状の伝送路２０７が形成される。この伝送路２０７には、第１の実施形態と同様に、伝送物管理装置８やアウトレット９が接続可能となっており、アウトレット９に接続された電気機器（図示せず）と伝送物管理装置８とが伝送路２０７を介して接続されるようになっている。フロアパネルシステム２０１が伝送路２０７によって伝送する伝送物は、第１の実施形態と同じである。
【００７９】
ここで、本例では、この伝送線６が設けられる蓋２１２を、本発明の技術的思想に基づいて、当該蓋２１２の内部空間に伝送線６としての導体を配設して、この導体の周囲を覆うように絶縁体を充填して成型してもよい。
【００８０】
このように、フロアパネル２０４の蓋２１２内に伝送線６が設けられていることにより、フロアパネル２０４を基礎床２に直接敷設しても、フロアパネルシステム２０１内に伝送路２０７が形成されるので、フロアパネル２０４の下面と基礎床２との間に配線用の空間を形成する必要がなく、その分、フロアパネルシステム２０１の床面（上面）を低くすることができる。よって、室内空間の高さを高くして室内を広くすることができる。なお、このような効果は、例えば、第２の実施形態のフロアパネル１０４を支柱３を介さずに直接基礎床２に敷設することでも得ることができる。また、第１の実施形態のフロアパネル４を支柱３を介さずに直接基礎床２に敷設して、隣合うフロアパネル４の伝送線６同士を接続部材によって接続することによっても、上記と同じ効果を得ることができる。
【００８１】
また、このようにフロアパネル２０４に伝送線６を一体に設けることによって、第１の実施形態と同様に、フロアパネル２０４に電気機器１０を内蔵してその電気機器１０を伝送線６に接続したり、フロアパネル２０４外の電気機器（図示せず）を伝送線６に接続することができ、これにより、そのフロアパネル２０４内外の電気機器１０の遠隔制御や使用をすることができる。このような構成の例は、第１の実施形態と同じであるため、説明は省略する。
【００８２】
なお、本発明は、上記実施形態に限ることなく本発明の要旨を逸脱しない範囲で他の実施形態を各種採用することができる。例えば、第１及び第２の実施形態では、フロアパネルとして、パネル本体２０、４０内に伝送線６が設けられたものを説明したが、これに限ることなく、フロアパネルとしては、伝送線６がパネル本体１０の外側に配置されてパネル本体２０、４０に一体に設けられたものであっても良い。また、例えば、パネル本体２０、４０の下面に沿って伝送線６が設けられても良い。また、内部空間１７も第１及び第２の実施形態の形状に限ることなく、例えば、溝状など種々の形状を採用することができる。
【００８３】
また、フロアパネルシステム２０１では、フロアパネルとして、蓋２１２内に伝送線６が設けられたものを説明したが、これに限ることなく、フロアパネルとしては、伝送線６が蓋２１２の外側に配置されて蓋２１２に一体に設けられたものであっても良い。例えば、蓋２１２の下面に沿って伝送線６が設けられても良い。また、上記第１、第２実施形態及びフロアパネルシステム２０１では、線状の導体を例示したが、これに限らず、例えば、帯状など種々の形状の導体を用いることができる。
【図面の簡単な説明】
【００８４】
【図１】本発明の第１の実施形態にかかるフロアパネルシステムを概略的に示す斜視図である。
【図２】本発明の第１の実施形態にかかるフロアパネルの斜視図である。
【図３】図２中のＡ−Ａ断面図である。
【図４】本発明の第１の実施形態にかかるフロアパネルの第１の変形例を示す上面図である。
【図５】本発明の第１の実施形態にかかるフロアパネルの第２の変形例を示す上面図である。
【図６】本発明の第１の実施形態にかかるフロアパネルの第３の変形例を示す上面図である。
【図７】本発明の第２の実施形態にかかるフロアパネルシステムを概略的に示す斜視図である。
【図８】本発明の第２の実施形態にかかるフロアパネルの斜視図である。
【図９】図８中のＢ−Ｂ断面図である。
【図１０】本発明の第２の実施形態にかかるフロアパネルの接続方法を示した斜視図である。
【図１１】本発明の第２の実施形態にかかるフロアパネルの第１の変形例を示す上面図である。
【図１２】本発明の第２の実施形態にかかるフロアパネルの第２の変形例を示す上面図である。
【図１３】本発明の第２の実施形態にかかるフロアパネルの第３の変形例を示す上面図である。
【図１４】本発明の第２の実施形態にかかるフロアパネルの第４の変形例を示す上面図である。
【図１５】その他のフロアパネルシステムを概略的に示す斜視図である。
【図１６】図１５に示すフロアパネルシステムのフロアパネルを概略的に示す斜視図である。
【符号の説明】
【００８５】
２    基礎床
４    フロアパネル
６    伝送線（導体）
１５  絶縁体
１７  空間
２０、４０  パネル本体
２７ａ、４７  天面（床面）
【図１】
2010106460.tif 000003
【図２】
2010106460.tif 000004
【図３】
2010106460.tif 000005
【図４】
2010106460.tif 000006
【図５】
2010106460.tif 000007
【図６】
2010106460.tif 000008
【図７】
2010106460.tif 000009
【図８】
2010106460.tif 000010
【図９】
2010106460.tif 000011
【図１０】
2010106460.tif 000012
【図１１】
2010106460.tif 000013
【図１２】
2010106460.tif 000014
【図１３】
2010106460.tif 000015
【図１４】
2010106460.tif 000016
【図１５】
2010106460.tif 000017
【図１６】
2010106460.tif 000018